(57)【要約】【課題】３方向ラチェットスパナの提供。【解決手段】本体の一端に駆動部が設けられ、該駆動部に握持部が接続され、該駆動部に第１収容部、第２収容部、第３収容部が設けられ、該第１収容部内に回転可能にラチェットが設けられ、ラチェットの外周壁面に歯が繞設され、二つの係止部品がスライド自在に該第２収容部に収容され、該係止部品のラチェットとの対向面に歯が設けられ、該二つの係止部品のラチェットに向いた第一端に案内部が設けられ、該第３収容部に制御部品が枢設され、該制御部品の内側の一端に方向制御部が設けられ、該方向制御部が選択的に係止部品の案内部に圧接され、該第３収容部の深さが第２収容部の中心線を超過せず、係止部品の第一端が大面積で本体の第２収容部の壁面に剛性接触し、係止部品が耐え得るトルク値を高める。【選択図】図２
0003147234.tif 000002
【実用新案登録請求の範囲】
【請求項１】
３方向ラチェットスパナにおいて、
本体であって、該本体の一端に駆動部が設けられ、該駆動部に握持部が接続され、該駆動部に第１収容部、該第１収容部と接する第２収容部、第２収容部と接する第３収容部が設けられ、第２収容部に少なくとも一つの開口が設けられた、上記本体と、
ラチェットであって、該ラチェットは回転可能に該第１収容部内に設けられ、該ラチェットの外周壁面に歯が環状に設けられた、上記ラチェットと、
二つの係止部品であって、該二つの係止部品がスライド自在に該本体の該第２収容部に収容され、該係止部品のラチェットとの対向側に歯が設けられ、該二つの係止部品のラチェットに向いた第一端に案内部が設けられ、該係止部品の第二端はそれぞれ弾性体による弾性圧接を受ける、上記二つの係止部品と、
少なくとも一つの固定部品であって、該固定部品が該第２収容部の開口に嵌め止めされ、これにより該第２収容部が閉じられる、上記少なくとも一つの固定部品と、
制御部品であって、該制御部品は該本体の第３収容部内に枢設され、該制御部品の内側の一端に方向制御部が設けられ、該方向制御部は選択的に該係止部品の案内部に圧接し、係止部品の歯をラチェット部品の歯より分離させる、上記制御部品と、
を包含し、該第３収容部の深さは該第２収容部の中心線を超過せず、これにより該係止部品の第一端が大面積で該本体の該第２収容部の壁面に剛性接触し、該係止部品が耐え得るトルク値を高めることを特徴とする、３方向ラチェットスパナ。
【請求項２】
請求項１記載の３方向ラチェットスパナにおいて、該本体の第３収容部の中央に固定孔が設けられ、該制御部品の中央に孔が設けられ、固定ボルトが該制御部品の孔を通りが固定孔にねじ込まれ、これにより該制御部品が該本体に結合されると共に、該本体の第２収容部と第３収容部が閉じられたことを特徴とする、３方向ラチェットスパナ。
【請求項３】
請求項１記載の３方向ラチェットスパナにおいて、該本体の第３収容部に位置決め孔が設けられ、該位置決め孔に位置決め装置が収容され、該制御部品の内側の別端に三つの隣り合う位置決め凹部が設けられ、該位置決め装置が該位置決め凹部のいずれかに嵌入して該制御部品を位置決めし、該位置決め装置が弾性体と係合部品を包含することを特徴とする、３方向ラチェットスパナ。
【請求項４】
請求項１記載の３方向ラチェットスパナにおいて、該制御部品が少なくとも三つの操作位置間を移動可能で、該制御部品が中間位置にある時、該制御部品の方向制御部が該二つの係止部品の二つの案内部に未圧接であり、該二つの係止部品の歯がそれぞれ該ラチェットの歯に噛み合っていることを特徴とする、３方向ラチェットスパナ。
【請求項５】
請求項１記載の３方向ラチェットスパナにおいて、該開口が該第２収容部の一端に設けられたことを特徴とする、３方向ラチェットスパナ。
【請求項６】
請求項５記載の３方向ラチェットスパナにおいて、該第２収容部の別端に開口が設けられ、固定部品が該第２収容部の別端の開口に嵌め止めされて該第２収容部を閉じたことを特徴とする、３方向ラチェットスパナ。
【請求項７】
請求項１記載の３方向ラチェットスパナにおいて、該第２収容部が略楕円形孔を呈し、該二つの係止部品が略楕円形柱を呈することを特徴とする、３方向ラチェットスパナ。
【請求項８】
請求項１記載の３方向ラチェットスパナにおいて、該二つの係止部品の第２端に位置制限部が設けられ、該弾性体が二つの該位置制限部内に設けられたことを特徴とする、３方向ラチェットスパナ。
【請求項９】
請求項１記載の３方向ラチェットスパナにおいて、該ラチェットの中央に回転駆動部が設けられ、該回転駆動部が締めつけ物を収容することを特徴とする、３方向ラチェットスパナ。
【請求項１０】
請求項１記載の３方向ラチェットスパナにおいて、該ラチェットにスリーブと結合可能な回転駆動部が設けられ、該回転駆動部内に嵌め止め装置が設けられ、スリーブが該回転駆動部に嵌め止めされることを特徴とする、駆動部が設けられ、該回転駆動部が締めつけ物を収容することを特徴とする、３方向ラチェットスパナ。
【考案の詳細な説明】
【技術分野】
【０００１】
本考案は一種のラチェットスパナに係り、特に一種の３方向ラチェットスパナに関する。
【背景技術】
【０００２】
図１１の周知の技術の構造図を参照されたい。該ラチェットスパナはスパナ主体１、ラチェット２、二つの制動ブロック３、回転つまみ４等を包含する。該スパナ主体１の一端の頭部１１に収容室１１１があり、該収容室１１１は頭部１１側辺に貫通する制動溝１２と連通し、ラチェット２、制動ブロック３を収容し、並びにそれらは噛み合っている。該スパナ主体１は頭部１１上端の適宜部分に回転つまみ４を収容するつまみ孔１３が設けられ、該つまみ孔１３は制動溝１２の中段の適宜部分に連通し、該回転つまみ４の制止部４２がそのうち一つの制動ブロック３に当接させられて、ラチェット２と制動ブロック３の噛み合いにより制動の方向が変換可能とされる。
【０００３】
該つまみ孔１３の孔の深さはスパナ主体１の厚さの約３／４とされ、このように深すぎるつまみ孔１３は大幅に頭部１１の構造強度を低める。ラチェットスパナがネジ部品を回す時、該制動ブロック３の前端は全体がつまみ孔１３内で宙に浮いた状態となり、該制動ブロック３の前端はスパナ主体１に剛性接触せず、制動ブロック３の前端はその受けるトルクをスパナ主体１に伝達できず、このために該制動ブロック３の耐えうるトルク値に厳重な影響が生じ、ラチェットスパナの操作性能が下がり、専門業者の使用要求に符合しなくなる。
【考案の開示】
【考案が解決しようとする課題】
【０００４】
本考案の解決しようとする課題は、周知のラチェットスパナのつまみ孔の孔の深さがスパナ主体の厚さの約３／４もあるために、頭部の構造強度を弱め、且つ制動ブロックの前端が全体的につまみ孔内で宙に浮いた状態となり、受けたトルクをスパナ主体に伝達できず、このために該制動ブロックの耐えうるトルク値に厳重な影響が生じるという問題を解決することにある。
【課題を解決するための手段】
【０００５】
本考案の３方向ラチェットスパナは、本体、ラチェット、二つの係止部品、及び、制御部品を包含する。該本体の一端に駆動部が設けられ、該駆動部に握持部が接続され、該駆動部に第１収容部、該第１収容部と接する第２収容部、第２収容部と接する第３収容部が設けられ、第２収容部に少なくとも一つの開口が設けられている。該ラチェットは回転可能に該第１収容部内に設けられ、該ラチェットの外周壁面に歯が環状に設けられる。該二つの係止部品がスライド自在に該第２収容部に収容され、該係止部品のラチェットとの対向側に歯が設けられ、該二つの係止部品のラチェットに向いた第一端に案内部が設けられ、該第３収容部に制御部品が枢設され、該制御部品の内側の一端にそれぞれ方向制御部が設けられ、該係止部品の第二端はそれぞれ弾性体による弾性圧接を受ける。少なくとも一つの固定部品が該第２収容部の開口に係止され、これにより該第２収容部が閉じられる。該制御部品は該本体の第３収容部内に枢設され、該制御部品の内側の一端に方向制御部が設けられ、該方向制御部は選択的に該係止部品の案内部に圧接し、係止部品の歯をラチェット部品の歯より分離させる。そのうち、該第３収容部の深さは該第２収容部の中心線を超過せず、これにより該係止部品の第一端が大面積で該本体の該第２収容部の壁面に剛性接触し、該係止部品が耐え得るトルク値を高める。
【考案の効果】
【０００６】
本考案は、周知のラチェットスパナのつまみ孔の孔の深さがスパナ主体の厚さの約３／４もあるために、頭部の構造強度を弱め、且つ制動ブロックの前端が全体的につまみ孔内で宙に浮いた状態となり、受けたトルクをスパナ主体に伝達できず、このために該制動ブロックの耐えうるトルク値に厳重な影響が生じるという問題を解決する。
【考案を実施するための最良の形態】
【０００７】
図１、２に示されるように、本考案は一種の３方向ラチェットスパナを提供し、第１の実施例では、それは、本体１０、ラチェット２０、二つの係止部品３０及び制御部品４０を包含する。
【０００８】
該本体１０の一端に駆動部１１が設けられ、該駆動部１１に使用者が握持するための握持部１２が接続されている。該駆動部１１に第１収容部１３、第２収容部１４、及び第３収容部１５が設けられ、該第２収容部１４は第１収容部１３と第３収容部１５の間に位置し、並びに第１、３収容部１３、１５と接している。該第１収容部１３の内側壁面の一端に環状に凹溝１３１が設けられ、該第２収容部１４は横孔とされ、並びに駆動部１１の少なくとも一側を貫通して第２収容部１４の一端に開口１４１が形成され、該第２収容部１４の閉口端に孔１４２が設けられている。該第３収容部１５は駆動部１１の一端の外側が開放され、該第３収容部１５の深さは該第２収容部１４の中心線を超過しない。該第３収容部１５に固定孔１５１と位置決め孔１５２が設けられ、該位置決め孔１５２は位置決め装置１６が収容され、該位置決め装置１６は弾性体１６１と係合部品１６２を包含する。該第３収容部１５と第１収容部１３の間に非中空の連接部１７が形成されている。
【０００９】
該第１収容部と接する第２収容部、第２収容部と接する第３収容部が設けられ、第２収容部に少なくとも一つの開口が設けられている。該ラチェットは回転可能に該第１収容部内に設けられ、該ラチェットの外周壁面に歯が環状に設けられる。該二つの係止部品がスライド自在に該第２収容部に収容され、該係止部品のラチェットとの対向側に歯が設けられ、該二つの係止部品のラチェットに向いた第一端に案内部が設けられ、該第３収容部に制御部品が枢設され、該制御部品の内側の一端にそれぞれ方向制御部が設けられ、該係止部品の第二端はそれぞれ弾性体による弾性圧接を受ける。少なくとも一つの固定部品が該第２収容部の開口に係止され、これにより該第２収容部が閉じられる。該制御部品は該本体１０の第３収容部内に枢設され、該制御部品の内側の一端に方向制御部が設けられ、該方向制御部は選択的に該係止部品の案内部に圧接し、係止部品の歯をラチェット部品の歯より分離させる。そのうち、該第３収容部の深さは該第２収容部の中心線を超過せず、これにより該係止部品の第一端が大面積で該本体１０の該第２収容部の壁面に剛性接触し、該係止部品が耐え得るトルク値を高める。
【００１０】
該ラチェット２０は回転可能に本体１０の第１収容部１３内に設けられ、該ラチェット２０の中央に回転駆動部２１が設けられ、該ラチェット２０の外周の側壁面に環状に連続する複数の歯２２が設けられ、該ラチェット２０の外周の一端に環状に凹溝２３が設けられる。図４も参照されたい。Ｃ形スナップリング２４がラチェット２０の凹溝２３と本体１０の凹溝１３１の間に設けられ、これによりラチェット２０が本体１０の第１収容部１３内に結合され、並びに本体１０と相対回転関係を発生可能とされる。
【００１１】
該二つの係止部品３０はそれぞれスライド可能に本体１０の第２収容部１４内に設けられ、各係止部品３０のラチェット２０に対向する一側に歯２２に対応する複数の歯３１が設けられる。各係止部品３０のラチェット２０に向いた第１端に案内部３２が設けられ、各係止部品３０の第２端に位置制限部３３が設けられる。図５も参照されたいが、孔３５１を具えた固定部品３５が該第２収容室１４の開口１４１に固定され、該第２収容部１４を閉じる。二つの弾性体３４はそれぞれ第２収容部１４の二端に設けられ、それぞれが該二つの係止部品３０の第２端の位置制限部３３に弾性圧接し、該二つの弾性体３４の別端はそれぞれ固定部品３５の孔３５１及び第２収容部１４の孔１４２内に設けられる。第１実施例中、該第２収容部１４は略楕円形孔を呈し、該二つの係止部品３０は略楕円形柱を呈する。
【００１２】
該制御部品４０は本体１０の第３収容部１５内に枢設され、該制御部品４０の中央に孔４１が設けられ、図３も参照されたいが、該制御部品４０の内側の一端の中央に方向制御部４２が凸設され、該制御部品４０の内側の別端に隣り合う第１位置決め凹部４３、第２位置決め凹部４４、及び第３位置決め凹部４５が設けられている。該制御部品４０の方向制御部４２から離れた一端にレバー４６が設けられる。固定ボルト４７が制御部品４０の孔４１を通り本体１０の固定孔１５１にねじ込まれ、これにより該制御部品４０が本体１０に結合され、且つ本体１０の第２、３収容部１４、１５が閉じられる。
【００１３】
図４を参照されたい。第３収容部１５の深さは第２収容部１４の中心線を超過せず、これにより、第３収容部１５と第２収容部１４の接触深さは比較的浅い。これにより、該二つの係止部品３０の第１端は大面積で本体１０の第２収容部１４の底壁に剛性接触し、該二つの係止部品３０の第１端は全体が宙づりになることはない。３方向ラチェットスパナを回す時、該係止部品３０の第１端が本体１０に大面積で剛性接触するため、係止部品３０の第１端が受けられるトルクが本体１０に伝達され、大幅に係止部品３０が耐えうるトルクが増し、３方向ラチェットスパナの操作性能がアップし、専門業者による使用に適合するものとなる。
【００１４】
図５は更に制御部品４０が第２操作位置（中間位置）にある状態を示す。位置決め装置１６の係合部品１６２が制御部品４０の第２位置決め凹部４４内に嵌入し、該制御部品４０の方向制御部４２は第２収容部１４の中間に位置する。該二つの係止部品３０の第１端の案内部３２はいずれも方向制御部４２による圧接を受けず、該二つの係止部品３０の歯３１はそれぞれラチェット２０の歯２２に噛み合う。このとき、該ラチェット２０は本体１０と相対回転関係を発生できず、該３方向ラチェットスパナは固定式スパナと同様となり、正逆時計方向にネジ部品を回すことができる。
【００１５】
図６を参照されたい。制御部品４０は回されて第３操作位置に位置し、該位置決め装置１６の係合部品１６２は制御部品４０の第３位置決め凹部４５内に位置する。該制御部品４０の方向制御部４２は右側の係止部品３０の案内部３２に圧接し、右側の係止部品３０の歯３１をラチェット２０の歯２２より分離させている。左側の係止部品３０は制御部品４０による圧接を受けておらず、左側の係止部品３０の歯３１はラチェット２０の歯２２に噛み合い、このとき、該ラチェットスパナは逆時計回り方向にネジ部品を回すことができる。
【００１６】
図７を参照されたい。制御部品４０は回されて第１操作位置に位置し、該位置決め装置１６の係合部品１６２は制御部品４０の第１位置決め凹部４３内に位置する。該制御部品４０の方向制御部４２は左側の係止部品３０の案内部３２に圧接し、左側の係止部品３０の歯３１をラチェット２０の歯２２より分離させている。右側の係止部品３０は制御部品４０による圧接を受けておらず、右側の係止部品３０の歯３１はラチェット２０の歯２２に噛み合い、このとき、該ラチェットスパナは時計回り方向にネジ部品を回すことができる。
【００１７】
図８は本考案の第２実施例を示し、第２実施例と第１実施例の違いは、該本体１０の第２収容部１４が駆動部１１の二側を貫通し、第２収容部１４の二端にそれぞれ開口１４１が形成され、それぞれ固定部品３５が該開口１４１に嵌め止めされて該第２収容部１４が閉じられていることである。
【００１８】
図９は本考案の第３実施例を示し、該第３実施例は第１実施例とほぼ同じであるが、その違いは、ラチェット２０’の形態上の改変にあり、該ラチェット２０’の外周の壁面に環状に歯２２’と凹溝２３’が設けられ、該ラチェット２０’の別端にスリーブ（図示せず）と結合可能な回転駆動部２１’が設けられ、該ラチェット２０’内にクイック嵌め止め装置２５’が設けられ、該クイック嵌め止め装置２５’が選択的にスリーブと回転駆動部２１’間の相対移動関係を制限する。該ラチェット２０’の凹溝２３’と本体１０の凹溝１３１の間にＣ形スナップリング２４’が設けられてラチェット２０’が回転可能に本体１０の第１収容部１３内に結合される。該第３実施例中、該回転駆動部２１’は方形ヘッドとして実施される。
【００１９】
図１０は本考案の第４実施例を示す。第４実施例は第１実施例とほぼ同じであるが、違いはラチェット２０”の形態上の改変にある。該ラチェット２０”の外周壁に環状に歯２２”と凹溝２３”が設けられ、該ラチェット２０”の別端にスリーブ（図示せず）と結合可能な回転駆動部２１”が設けられ、該ラチェット２０”内に嵌め止め装置２５”が設けられ、該嵌め止め装置２５”は回転駆動部２１”に結合されたスリーブの位置決めに用いられる。該ラチェット２０”の凹溝２３”と本体１０の凹溝１３１の間にＣ形スナップリング２４”が設けられてラチェット２０”が回転可能に本体１０の第１収容部１３内に結合される。該第４実施例中、該回転駆動部２１”は方形ヘッドとして実施される。
【図面の簡単な説明】
【００２０】
【図１】本考案の３方向ラチェットスパナの立体組合せ図である。
【図２】本考案の３方向ラチェットスパナの立体分解図である。
【図３】本考案の制御部品の仰視図である。
【図４】図１の４−４断面図である。
【図５】図４の５−５断面図であり、制御部品が第２操作位置にある状態を示す。
【図６】図５に関係し、制御部品が第３操作位置にある状態を示す。
【図７】図５に関係し、制御部品が第１操作位置にある状態を示す。
【図８】本考案の３方向ラチェットスパナの第２実施例の断面図である。
【図９】本考案の３方向ラチェットスパナの第３実施例の縦向き断面図である。
【図１０】本考案の３方向ラチェットスパナの第４実施例の縦向き断面図である。
【図１１】周知の構造の正面断面視による動作表示図である。
【符号の説明】
【００２１】
１０  本体              １１  駆動部
１２  握持部            １３  第１収容部
１３１  凹溝            １４  第２収容部
１４１  開口            １４２  孔
１５  第３収容部        １５１  固定孔
１５２  位置決め孔      １６  位置決め装置
１６１  弾性体          １６２  係合部品
１７  連接部            ２０  ラチェット
２１  回転駆動部        ２２  歯
２３  凹溝              ２４  Ｃ形スナップリング
３０  係止部品          ３１  歯
３２  案内部            ３３  位置制限部
３４  弾性体            ３５  固定部品
３５１  孔              ４０  制御部品
４１  孔                ４２  方向制御部
４３  第１位置決め凹部    ４４  第２位置決め凹部
４５  第３位置決め凹部    ４６  レバー
２０’  ラチェット        ２１’  回転駆動部
２２’  歯                ２３’  凹溝
２４’  Ｃ形スナップリング  ２５’  クイック嵌め止め装置
２０”  ラチェット        ２１”  回転駆動部
２２”  歯                ２３”  凹溝
２４”  Ｃ形スナップリング  ２５”  嵌め止め装置
【図１】
0003147234.tif 000003
【図２】
0003147234.tif 000004
【図３】
0003147234.tif 000005
【図４】
0003147234.tif 000006
【図５】
0003147234.tif 000007
【図６】
0003147234.tif 000008
【図７】
0003147234.tif 000009
【図８】
0003147234.tif 000010
【図９】
0003147234.tif 000011
【図１０】
0003147234.tif 000012
【図１１】
0003147234.tif 000013